(57)【要約】【課題】人間の視覚特性と表示性能とのバランスを考慮した画像表示を行うことができる表示装置を提供する。【解決手段】表示装置は、入力信号と出力輝度との関係であるγ特性が経時的に変化する。【選択図】図６
2004317925.tif 000002
【特許請求の範囲】
【請求項１】
入力信号と出力輝度との関係であるγ特性が経時的に変化することを特徴とする表示装置。
【請求項２】
請求項１に記載された表示装置において、
上記γ特性は、変化前後のいずれにおいても、入力信号の範囲内で出力輝度が連続していることを特徴とする表示装置。
【請求項３】
請求項１に記載された表示装置において、
上記γ特性は、変化前後において、出力輝度の最大値が保持されることを特徴とする表示装置。
【請求項４】
請求項３に記載された表示装置において、
上記γ特性は、入力信号を最大値１に規格化されたｎ、γ特性変化前の出力輝度をＬ（ｎ）及びγ特性変化後の出力輝度をＬ（ｎ）’としたとき、
Ｌ（０）≠Ｌ（０）’
且つ
｛Ｌ（１）−Ｌ（０）｝：｛Ｌ（ｎ）−Ｌ（０）｝＝｛Ｌ（１）’−Ｌ（０）’｝：｛Ｌ（ｎ）’−Ｌ（０）’｝
の関係を満たすように変化することを特徴とする表示装置。
【請求項５】
請求項４に記載された表示装置において、
Ｌ（０）’がＬ（０）の２．５倍以下であることを特徴とする表示装置。
【請求項６】
請求項１に記載された表示装置において、
上記γ特性は、コントラストが相対的に高い表示と、コントラストが相対的に低い表示とが交互に繰り返されるように変化することを特徴とする表示装置。
【請求項７】
請求項６に記載された表示装置において、
上記γ特性は、最後にγ特性が変化してからの経過時間が所定時間よりも長くなったときに変化することを特徴とする表示装置。
【請求項８】
請求項６に記載された表示装置において、
上記γ特性は、表示画面平均輝度が所定値よりも高くなったときに変化することを特徴とする表示装置。
【請求項９】
入力信号と出力輝度との関係であるγ特性を経時的に変化させることを特徴とする画像の表示方法。
【発明の詳細な説明】
【０００１】
【発明の属する技術分野】
本発明は、表示装置及び画像の表示方法に関する。
【０００２】
【従来の技術】
従来、表示装置においては、表示画面の明るさやコントラストなどの画質を調整する回路が設けられている。また、モード毎に異なった設定で使用することが可能なものもあり、例えば、標準モード、映画モード、ゲームモードなどの各種モードに応じた明るさやコントラストを設定できる。さらに、ユーザーが好みの明るさやコントラストをメモリーさせる機能を具備するものもある。
【０００３】
このように画質調整が行われることの目的のひとつは、眼精疲労の防止である。例えば、映画などは、より明るく、より高コントラスト表示の映画モードで観測する方が美しく見えるが、長時間観測すると疲れてしまう。逆に、暗く、低コントラストで観測すると疲れにくいが、美しさが損なわれてしまう。
【０００４】
従来技術によるこれら明るさやコントラストの調整は、必ずしも人間の視覚特性を考慮したものではない。そのため、長時間表示装置を見続けたときなどには、明るすぎる表示輝度や、高すぎるコントラストのために眼精疲労が起こりやすいという問題があった。しかも、これらの明るさやコントラストの調整は自動で行われるものではなく、ユーザーが手動で設定を切り替える必要があるという問題点もあり、往々にしてその調整を忘れてしまうことがあった。
【０００５】
自動で明るさの調整を行う従来技術として、特許文献１には周囲光の明るさに応じて自動的に表示画面全体の明るさを変化させる方法が開示されているが、コントラストの調整が行われないため、人間の視覚特性を完全に考慮したものにはなっていない。なぜならば、人間の目は、対象物の明るさだけでなく、その背景などとの明るさの比であるコントラストをも同時に知覚するからである。例えば、明るさの対比現象として有名なように、黒に囲まれた灰色の方が、白に囲まれた灰色よりも明るく見える。同様に、黒に囲まれた白は、灰色に囲まれた白よりも明るく見える。すなわち、同じ白黒のパターンでも、黒が暗いほど、白は明るく見えてしまい、場合によってはそれが眩しく感じられることもある。このように、表示画面全体の明るさ以外にも、コントラストの大小によっても画面の見た目の印象や疲労感は大きく左右される。特許文献２に開示される方法も同様に、明るさのみを調整するものである。
【０００６】
自動でコントラストの調整を行う従来技術としては、特許文献３に開示されるように、周期的もしくは非周期的に変化するコントラスト調整信号を生成して、ビデオ信号調整部に送られる輝度調整信号に重畳することにより、表示部に表示されている画像の輝度を時間的に変化させて、一定周期の走査による画面のちらつき軽減させるものがある。しかし、この方法は、画面のちらつきをなくすことには効果があるが、明るすぎる表示輝度、高すぎるコントラストに起因する眼精疲労を防止するものではない。
【０００７】
【特許文献１】
特開平６−２１４５０８号公報
【特許文献２】
特開平１１−３４１３９号公報
【特許文献３】
特開平６−１９４４５号公報
【０００８】
【発明が解決しようとする課題】
このように、従来、表示装置の明るさやコントラストの調整は、人間の視覚特性を考慮したものではなく、眼精疲労が起こりやすいという問題があった。また、その多くは、手動で設定を切り替える必要があるため、長時間見続けた場合などでも再調整されないことがほとんどで、特に激しい眼精疲労を伴った。さらに、自動で調整を行うものであってもその調整方法は不十分であった。
【０００９】
本発明は上記問題点に鑑みてなされたものであって、その目的は、人間の視覚特性と表示性能とのバランスを考慮した画像表示を行うことができる表示装置及び画像の表示方法を提供することにある。
【００１０】
【課題を解決するための手段】
上記目的を達成するために、本発明では、入力信号と出力輝度との関係であるγ特性が経時的に変化する表示装置とする。
【００１１】
本発明の表示装置では、上記γ特性は、変化前後のいずれにおいても、入力信号の範囲内で出力輝度が連続しているものであってもよい。
【００１２】
本発明の表示装置では、上記γ特性は、変化前後において、出力輝度の最大値が保持されるものであってもよい。
【００１３】
その場合、本発明の表示装置では、上記γ特性は、入力信号を最大値１に規格化されたｎ、γ特性変化前の出力輝度をＬ（ｎ）及びγ特性変化後の出力輝度をＬ（ｎ）’としたとき、
Ｌ（０）≠Ｌ（０）’
且つ
｛Ｌ（１）−Ｌ（０）｝：｛Ｌ（ｎ）−Ｌ（０）｝＝｛Ｌ（１）’−Ｌ（０）’｝：｛Ｌ（ｎ）’−Ｌ（０）’｝
の関係を満たすように変化するものであってもよい。
【００１４】
さらに、その場合、本発明の表示装置では、Ｌ（０）’がＬ（０）の２．５倍以下であるものであってもよい。
【００１５】
本発明の表示装置では、上記γ特性は、コントラストが相対的に高い表示と、コントラストが相対的に低い表示とが交互に繰り返されるように変化するものであってもよい。
【００１６】
その場合、本発明の表示装置では、上記γ特性は、最後にγ特性が変化してからの経過時間が所定時間よりも長くなったときに変化するものであってもよい。
【００１７】
また、本発明の表示装置では、上記γ特性は、表示画面平均輝度が所定値よりも高くなったときに変化するものであってもよい。
【００１８】
本発明の画像の表示方法は、入力信号と出力輝度との関係であるγ特性を経時的に変化させるものである。
【００１９】
【発明の実施の形態】
本発明の実施形態に係る表示装置は、ＣＲＴ、液晶表示装置、ＥＬ表示装置、ＰＤＰ表示装置等であり、装置に組み込まれたコントラスト調整回路により、入力信号と出力輝度との関係であるγ特性を経時的に変化させてγカーブを調整し、それによってコントラストの調整を図るものである。以下、その内容について説明する。
【００２０】
まず、表示装置のγ特性について説明する。一般に、表示装置の入力信号を横軸に、及び、出力信号を縦軸にとって描かれるカーブをγカーブといい、この入力信号と出力輝度との関係をγ特性という。ここで、表示装置とは表示デバイスの前段に駆動システムを設けたものである。また、入力信号とは一般的に映像信号または印加電圧であり、出力信号とは一般的に出力輝度である。例えば、ＣＲＴ表示装置に用いられるＣＲＴや、液晶表示装置に用いられる液晶パネルなどの表示デバイスの多くは、印加電圧によりその出力輝度を変調するものである。なお、液晶パネル自体は非自発光のライトバルブとしてのみ機能するため、印加電圧に対して本質的に変化するのは出力輝度ではなく透過率であるが、液晶パネルをバックライト装置と一体のデバイスとして考えた場合には、印加電圧により出力輝度が変化するデバイスとして扱うことができる。他の表示デバイスも含めて、以降は簡単のため、映像信号または印加電圧に対する表示デバイスの出力信号は全て出力輝度として取り扱う。
【００２１】
表示装置とは、入力信号である映像信号を入力し、駆動システムで決定される適切な電圧を表示デバイスに印加し出力輝度として出力を得るものであるが、一般的には、映像の線形な階調性を保つため、送像側への入力信号と表示装置の出力輝度との関係を線形にする必要がある。しかしながら、一般的な表示デバイスへの入力信号である印加電圧と出力輝度との関係、すなわち表示デバイスのγ特性は線形ではなく、デバイスに固有の非線型性をもつ。ＣＲＴを例にとると、その非線形性はＬ∝ｎγというベキ乗則で理想化される。ここで、Ｌは出力信号（出力輝度）、ｎは入力信号（ＣＲＴの場合は印加電圧）、γはγ係数と呼ばれ、ＣＲＴの場合、γ＝２．２である。図示すると図１の通りである。なお、図１では、入力信号及び出力信号の最大値を１に規格化している。
【００２２】
前記デバイス固有の非線型性のため、表示デバイスのγ特性に応じて入力信号を予め補正し、補正前の入力信号と出力輝度とが線形な関係になるようにすることを要し、このような補正をγ補正と呼ぶ。γ補正によって、送像側への入力信号から表示装置の出力輝度までの全体を通してγ＝１とすれば、送像側への入力信号と表示装置の出力輝度との関係を線形とすることができる。
【００２３】
γ補正は、表示装置側、すなわち駆動システムで行なうようにしてもよいが、各表示装置に補正回路を設けなければならないため不経済であり、また、補正回路の特性安定性の問題を有するため、現行テレビ方式の標準規格の一つでもあるＮＴＳＣ方式では、表示装置にＣＲＴ表示装置が用いられることを前提にして、放送局側でγ補正を行っている。より具体的には、送像側への入力信号となる映像信号に対して（１／２．２）乗の補正を行ってから送像している。
【００２４】
また、パソコンモニター用表示装置の場合にも、画像表示ソフトやコンピュータ内部のビデオカードのＬＵＴを使用して補正される方法が一般化しており、印刷イメージをシミュレートするなどの特殊な場合を除き、通常γ＝２．２の表示装置を前提としたγ補正が行われている。
【００２５】
しかしながら、上記γ補正はＣＲＴに対するものであるので、液晶表示装置などにおいては本来不要である。そこで、液晶表示装置などにおいては通常、送像側（放送局またはコンピューター内部）で行われたγ補正に対して、逆γ補正を行って送像側のγ補正をキャンセルし、さらに、表示デバイス固有のγ特性を線形化するγ補正を駆動システムで行っている。結果として、表示装置全体としてはγ＝２．２となり、こうすることにより、送像側で行われる（１／２．２）乗のγ補正と合わせて、送像側への入力信号から表示装置の出力輝度までの全体を通してγ＝１を達成している。送像側でγ補正が行われた入力信号が表示装置に入力されてから出力輝度として出力されるまでの様子を図２のフローチャートに示す。
【００２６】
ここで、表示装置のγ係数を２．２とすることの意味は、前述の通り、送像側で行われる（１／２．２）乗のγ補正と併せて、送像側への入力信号から表示装置の出力輝度までの全体を通してγ＝１を達成し、送像側への入力信号から表示装置の出力輝度の関係を線形とすることにある。この場合の送像側への入力信号と表示装置の出力輝度との関係を示したものが図３である。なお、図３では、入力信号及び出力輝度の最大値を１に規格化している。
【００２７】
表示装置のγ係数は、必ずしも２．２である必要はない。さらには、表示装置のγ特性が、理想化されたＬ∝ｎγというベキ乗則の形で表される必要もない。例えば、Ｌ∝ｎγというベキ乗則の形で表されない適当なγ特性を表示装置に持たせることにより、図４に示すような略Ｓ字型の送像側への入力信号と表示装置の出力輝度との関係を得ることもできる。なお、図４では、入力信号及び出力輝度の最大値を１に規格化している。このようにγカーブを略Ｓ字型とすることは、黒に近い灰色を黒に引き込み、白に近い灰色を白に引き込むことにより、見た目のコントラスト感が上がることを意味し、表示装置の使用目的や設計思想によっては、このようなγ特性が得られるように補正回路が設計される場合もある。あるいは、使用目的によってγ特性を調節できる機能を駆動システムに持たせる場合もある。本発明では、眼精疲労を軽減するためにγ特性を経時的に変化させている。
【００２８】
ここまで、表示装置のγ特性は理想的に、Ｌ∝ｎγのベキ乗則で表されるとしてきたが、実際の表示装置においては、ｎ＝０におけるＬは完全に０ではない場合が多いため、正確には表示装置のγ特性はその表示装置でｎ＝０のときの出力輝度Ｌ（０）をＬ０とすると、Ｌ−Ｌ０∝ｎγと表現されるべきである。ここで、入力信号を最大値１に規格化すると出力輝度Ｌ（ｎ）は下記式▲１▼で表される。
Ｌ（ｎ）＝Ｌ０＋（Ｌｍ−Ｌ０）ｎγ    ▲１▼
ここで、ＬｍはＬの最大値で、Ｌｍ＝Ｌ（１）である。このγカーブをγ＝２．２として図示すると図５のようになる。
【００２９】
次に、本実施形態におけるγ特性を変化させることによるγカーブ調整方法について詳細に説明する。
【００３０】
まず、γカーブの調整方法は数々考えられるが、ここでのγカーブ調整方法は、γ特性のうちＬｍを固定保持したまま、Ｌ０を変化させ（  Ｌ０≠Ｌ０’）、下記式▲２▼に従ってγ特性をｎ＝０側からｎ＝１側に向って順に圧縮または伸張する方法である。
2004317925.tif 000003
なお、式▲２▼は、下記式▲２▼’と表すこともできる。
2004317925.tif 000004
これは、表示装置のγ特性が▲１▼式で表される場合には、▲１▼式のＬ０のみを変化させて、▲１▼式に従って圧縮または伸張する方法と全く等価である。Ｌ０をＬ´０、Ｌ″０に変化させた場合のγカーブＬ´（ｎ）、Ｌ″（ｎ）を図６に示す。ここで、γ＝２．２、Ｌ´０＜Ｌ０＜Ｌ″０である。このようなγカーブの調整方法は、白輝度（表示装置の明るい画素の輝度）を一定に保ったまま、黒輝度（表示装置の暗い画素の輝度）を変化させることを意味し、後で説明するＡＰＬ（＝Ａｖｅｒａｇｅ  Ｐｉｃｔｕｒｅ  Ｌｅｖｅｌ，表示画面平均輝度）を大きく変化させることなく、コントラストを調整することが可能となる。さらに、▲２▼式からもわかるように、このようなγカーブの調整方法は、調整前後でγカーブの形が略相似形となり、調整前後のいずれにおいても入力信号の範囲内でγカーブが連続しており（γ特性が、変化前後のいずれにおいても、入力信号の範囲内で出力輝度が連続している）、階調特性の自然さなどにほとんど違和感を感じさせない。
【００３１】
また、主観評価実験によると、この方法でγカーブ、延いてはコントラストを調整すると、調整後でも美しさが劣化しにくいことがわかっている。また、白輝度が同じであるにもかかわらず、黒輝度が低くコントラストが高い表示よりも、黒輝度が高くコントラストが低い表示の方が、明るさの対比現象から、白表示部の眩しさが低減され、疲れにくいということもわかっている。すなわち、白輝度を一定に保ったまま、黒輝度を上げるコントラスト調整方法は、美しさにはあまり影響を与えず、しかも、調整後の表示は疲れにくいという長所があり、美しさと疲れにくさを両立させるには好適である。
【００３２】
以下、上記の主観評価実験の詳細について説明する。
【００３３】
評価人は２２歳から４５歳までの表示装置の評価実験の経験がない非専門家の男女３０名とした。実験方法は、美しさについては２重刺激連続品質法、疲れにくさについては５段階評定尺度法を採用した。
【００３４】
２重刺激連続品質法とは、評価対象と基準対象とを対で順に提示し、それぞれを絶対評価し、縦線状の評価用紙の任意の位置に横線をひく方法である。このとき、評価人には、どちらかが基準対象であり、どちらが基準対象であるかということはわからないようにする。この方法は、評価対象単独で評価した場合よりも軽微な劣化に対する感度が高い。集計は、評価対象及び基準対象のそれぞれについて、横線を引いた位置までの縦線の長さを測り、その比により、基準対象に対する評価対象の相対的な品質を計算する。
【００３５】
実施に行った美しさを評価する２重刺激連続品質法をより具体的に説明すると次の通りである。まず、２台の表示装置を用意した。２台は同じ物で、γカーブ調整前、つまり、γ特性を変化させる前の標準状態で、Ｌ（１）＝Ｌｍ＝２００ｃｄ／ｍ２、Ｌ０＝０．４０ｃｄ／ｍ２で、コントラストが５００であった。そのうちの１台を、上記のγカーブ調整方法によりγ特性を変化させ、Ｌ０＝０．５０ｃｄ／ｍ２でコントラスト４００、Ｌ０＝０．６７ｃｄ／ｍ２でコントラスト３００、Ｌ０＝１．０ｃｄ／ｍ２でコントラスト２００、Ｌ０＝２．０ｃｄ／ｍ２でコントラスト１００に調整した。つまり、γカーブの調整前後でコントラストが５００〜１００までの表示装置を実現した。コントラスト５００の表示装置を常に基準対象として、コントラスト５００〜１００の表示装置を評価対象とし、２重刺激連続品質法によりそれぞれの美しさを評価した。なお、それぞれの表示装置ではＪＩＳ−Ｘ−９２０４準拠の高精細カラーディジタル標準画像Ｎ１（グラスと女性）を表示した。
【００３６】
実際に行った疲れにくさを評価する５段階評定尺度法をより具体的に説明すると次の通りである。評価人には２重刺激連続品質法と同様に、上記のようにγカーブを調整したコントラスト５００〜１００の表示装置にＪＩＳ−Ｘ−９２０４準拠の高精細カラーディジタル標準画像Ｎ１（グラスと女性）を表示したものをそれぞれ観測させ、５：非常に良い（疲れにくい）、４：良い、３：普通、２：悪い、１：非常に悪い（疲れやすい）までの５段階の評定尺度に従って評点を付けさせた。
【００３７】
【表１】
2004317925.tif 000005
【００３８】
実験結果は表１の通りである。コントラストが５００から２００までは、ほとんど美しさの差がないが、コントラストが低くなるにつれ、疲れにくくなっているのが分かる。アンケートの結果からも、黒輝度が高く低コントラストの表示装置は、白表示部の眩しさが低減され、疲れにくいとのことである。コントラストが２００のときのＬ０は、５００のときのＬ０の２．５倍である。すなわち、Ｌ０を、調整前初期状態の２．５倍を上限に大きくしてγ特性を変化させると疲れにくさが低減し、しかも美しさはほとんど変化しない。
【００３９】
次に、Ｌ０を固定保持したまま、Ｌｍ（＝Ｌ（１））を変化させ、γ特性をｎ＝１側からｎ＝０側に向って順に圧縮または伸張するγカーブの調整方法を行った場合について同様の実験を行った。このようなγカーブの調整方法は、黒輝度（表示装置の暗い画素の輝度）を一定に保ったまま、白輝度（表示装置の明るい画素の輝度）を変化させることを意味する。このγカーブ調整方法によりγ特性を変化させ、１台の表示装置を、Ｌｍ＝１６０ｃｄ／ｍ２でコントラスト４００、Ｌｍ＝１２０ｃｄ／ｍ２でコントラスト３００、Ｌｍ＝８０ｃｄ／ｍ２でコントラスト２００、Ｌｍ＝４０ｃｄ／ｍ２でコントラスト１００に調整した。
【００４０】
【表２】
2004317925.tif 000006
【００４１】
実験結果は表２の通りである。コントラストが低くなるにつれ、疲れにくくなっているが、美しさも急激に劣化するのが分かる。この結果から、人間の視覚特性まで考えたとき、白輝度（表示装置の明るい画素の輝度）を一定に保ったまま、黒輝度（表示装置の暗い画素の輝度）を変化させるγカーブ調整方法の方が、美しさと疲れにくさの両立には好適であることがわかる。
【００４２】
次に、本実施形態のＡＰＬによるコントラスト調整方法について詳細に説明する。
【００４３】
ＡＰＬとは、Ａｖｅｒａｇｅ  Ｐｉｃｔｕｒｅ  Ｌｅｖｅｌの省略形で、表示画面平均輝度のことである。表示装置の画素数をＮとし、それぞれの画素に番号１〜Ｎを振り、番号ｎの画素の表示輝度をＰ（ｎ）とすると、ＡＰＬは下記式（３）で表される。
ＡＰＬ＝ΣＰ（ｎ）／Ｎ／Ｌｍ    （３）
全画素が白表示のときＡＰＬ＝１、全画素が黒表示のときＡＰＬ＝（Ｌ０／Ｌｍ）≒０となる。すなわち、暗い画素が多く、画面が平均的に暗いときにはＡＰＬが低く、逆に、明るい画素が多く、画面が平均的に明るいときにはＡＰＬが高くなる。明るい画素の輝度が一定に保持されたまま、暗い画素の輝度が変化するようにγ特性を変化させる場合、ＡＰＬが低い状態でγ特性を変化させると、観測者がそれに気付きやすく、違和感を感じてしまう可能性が高い。逆に、ＡＰＬが高い状態でγ特性を変化させると、観測者がそれに気付きにくく、違和感を感じる可能性が低い。
【００４４】
先に説明したように、高コントラストの表示は美しいが疲れやすい。一方、低コントラストの表示は、疲れにくいが美しくない。そこで、表示装置に設けられた時間計数部により最後にγカーブを調整してからの経過時間を計数し、その経過時間が所定時間よりも長くなったときにγカーブの調整を図り、高コントラスト表示と低コントラスト表示とを自動的に順に切り替えることによって、美しさと疲れにくさとを両立させることができる。また、その切り替えは、観測者が違和感を感じる可能性が低いことから、ＡＰＬが高い状態で行う方が有利であるので、最後にγカーブを調整してからの経過時間が所定時間よりも長くなった後、所定の高ＡＰＬ状態になるのを待って行われることが好ましい。
【００４５】
なお、本実施形態では、表示の美しさと疲れにくさとを両立させるようにγ特性を変化させる構成としたが、特にこれに限定されるものではなく、その他の事項を目的にγ特性を変化させるものであってもよい。
【００４６】
【実施例】
以下に、液晶表示装置で行った評価について説明する。
【００４７】
（液晶表示装置）
＜実施例１＞
実施例１の液晶表示装置は、時間計数部と、ＡＰＬ演算部と、γカーブ調整部とを有するコントラスト調整回路を備えている。そして、そのコントラスト調整回路のγカーブ調整部は、時間計数部から得られる最終γカーブ調整時刻からの経過時間と、ＡＰＬ演算部から得られるＡＰＬに基づいて、γカーブの高出力側を高出力に保持したまま、低出力側の出力を変化させることにより、低出力側から高出力側へと順に滑らかにγカーブが圧縮または伸張されるようにγ特性を変化させてコントラストの調整を図り、しかも、高コントラスト表示と低コントラスト表示とを順に交互に切り替えるように構成されている。具体的には、この液晶表示装置では、Ｌｍが２００ｃｄ／ｍ２であって、高コントラスト表示時のＬ０が０．４０ｃｄ／ｍ２（コントラスト５００）、低コントラスト表示時のＬ０が０．６７ｃｄ／ｍ２（コントラスト３００）となるようにγ特性が交互に変化する。また、コントラスト調整回路は、これら高コントラスト表示と低コントラスト表示とが略６０秒間隔で切り替えられるように設定されている。さらに、コントラスト調整回路は、最終γカーブ調整時刻から６０秒経過した後であっても、ＡＰＬが０．５以上になるまではγ特性を変化させないように設定されている。
【００４８】
＜実施例２＞
実施例２の液晶表示装置は、コントラスト調整回路に、時間計数部と、ＡＰＬ演算部と、γカーブ調整部とを備えている。そして、そのγカーブ調整部は、時間計数部から得られる最終γカーブ調整時刻からの経過時間と、ＡＰＬ演算部から得られるＡＰＬに基づいて、γカーブの高出力側を高出力に保持したまま、低出力側の出力を変化させることにより、低出力側から高出力側へと順に滑らかにγカーブが圧縮または伸張されるようにγ特性を変化させてコントラストの調整を図り、しかも、高コントラスト表示と低コントラスト表示とを順に交互に切り替えるように構成されている。具体的には、この液晶表示装置では、Ｌｍが２００ｃｄ／ｍ２であって、高コントラスト表示時のＬ０が０．４０ｃｄ／ｍ２（コントラスト５００）、低コントラスト表示時のＬ０が０．５０ｃｄ／ｍ２（コントラスト４００）となるようにγ特性が交互に変化する。また、コントラスト調整回路は、これら高コントラスト表示と低コントラスト表示とが略３０秒間隔で切り替えられるように設定されている。さらに、コントラスト調整回路は、最終γカーブ調整時刻から３０秒経過した後であっても、ＡＰＬが０．５以上になるまではγ特性を変化させないように設定されている。
【００４９】
＜比較例１＞
比較例１の液晶表示装置は、コントラスト調整回路を備えておらず、Ｌｍが２００ｃｄ／ｍ２、Ｌ０が０．４０ｃｄ／ｍ２（コントラスト５００）のものである。
【００５０】
＜比較例２＞
比較例２の液晶表示装置は、コントラスト調整回路を備えておらず、Ｌｍが２００ｃｄ／ｍ２、Ｌ０が０．６７ｃｄ／ｍ２（コントラスト３００）のものである。
【００５１】
（評価方法）
実施例１及び２、並びに、比較例１及び２の各液晶表示装置を用いて、次のような評価実験を行った。
【００５２】
評価人は２２歳から４５歳までの表示装置の評価実験の経験がない非専門家の男女３０名とした。評価項目は、美しさ及び疲れにくさで、それぞれ、５：非常に良い（美しい、疲れにくい）、４：良い、３：普通、２：悪い、１：非常に悪い（美しくない、疲れやすい）、の５段階評定尺度法とした。それぞれの液晶表示装置で、ビデオ録画したＮＨＫ放送局のニュース番組を１０分間表示し、評価させた。なお、それぞれの評価の間には５分間の休憩を挟んだ。
【００５３】
（評価結果）
【００５４】
【表３】
2004317925.tif 000007
【００５５】
評価結果は表３の通りである。コントラスト５００と３００とを交互に順に切り替えた実施例１と、コントラストを５００と４００とで交互に順に切り替えた実施例２においては、美しさ、疲れにくさともに評点４（良い）を超えており、美しさと疲れにくさが両立されている。
【００５６】
一方、コントラスト５００で表示し続けた比較例１においては美しさは評点４．５と高いが、疲れにくさは評点３．８と低い。また、コントラスト３００で表示し続けた比較例２においては、疲れにくさは評点４．４と高いが、美しさは３．８と低い。
【００５７】
【発明の効果】
以上説明したように、本発明によれば、入力信号と出力輝度との関係であるγ特性が経時的に変化するので、人間の視覚特性と表示性能とのバランスを考慮した画像表示を行うことができる。
【００５８】
特に、γ特性の変化によるγカーブの調整具合によっては、眼精疲労を軽減し、人間の目に優しく、しかも疲れにくさと美しさの両立を図ることができる。
【図面の簡単な説明】
【図１】ＣＲＴの入力信号と出力輝度との関係を表すγ＝２．２のγカーブを示すグラフである。
【図２】送像側でγ補正が行われた入力信号が表示装置に入力されてから出力輝度として出力されるまでの過程を表すフローチャートである。
【図３】線形な送像側への入力信号と表示装置の出力輝度との関係を表すγ＝１のγカーブを示すグラフである。
【図４】略Ｓ字型の送像側への入力信号と表示装置の出力輝度との関係を表すγカーブを示すグラフである。
【図５】ｎ＝０のときの出力輝度がＬ０としたときの入力信号と出力輝度との関係を表すγ＝２．２のγカーブを示すグラフである。
【図６】ｎ＝０のときの出力輝度がＬ０、Ｌ０’及びＬ０”としたときの入力信号と出力輝度との関係を表すγ＝２．２のγカーブを示すグラフである。
【図１】
2004317925.tif 000008
【図２】
2004317925.tif 000009
【図３】
2004317925.tif 000010
【図４】
2004317925.tif 000011
【図５】
2004317925.tif 000012
【図６】
2004317925.tif 000013